【事件の表示】
　特願２０１３−２３４０６９「遊技機」拒絶査定不服審判事件〔平成２７年　５月１８日出願公開、特開２０１５−　９３０４８〕について、次のとおり審決する。
【結　論】
　本件審判の請求は、成り立たない。
【理　由】
第１　手続の経緯 
　本願は、平成２５年１１月１２日に特許出願されたものであって、平成２７年３月２５日付けで拒絶理由通知がされ、これに対し同年５月２１日付けで手続補正がなされ、同年１０月３０日付けで最後の拒絶理由通知がされ、これに対し同年１２月２４日付けで手続補正がなされたが、平成２８年６月１日付け（発送日：同年６月７日）で、平成２７年１２月２４日付けの手続補正が却下されるとともに拒絶査定がなされ、これに対して、同年９月６日付けで拒絶査定不服審判の請求がなされるとともに手続補正（以下、「本件補正」という。）がなされたものである。  
  
第２　本件補正についての補正却下の決定 
［補正却下の決定の結論］ 
　本件補正を却下する。 
  
［理由］ 
１．本件補正の概要 
　平成２７年１２月２４日付けの手続補正は既に却下されている。そして、本件補正は特許請求の範囲の請求項１の記載を含む補正であり、平成２７年５月２１日付けの手続補正と本件補正の特許請求の範囲の請求項１の記載はそれぞれ、以下のとおりである（下線部は補正箇所を示す。）。 
 　 
 （補正前：平成２７年５月２１日付け手続補正） 
 「【請求項１】 
　所定の始動条件の成立により、遊技情報を取得する取得手段と、
　前記取得手段により取得された遊技情報に基づいて、特別遊技を行うか否かを判定する特別遊技判定手段と、
　前記特別遊技判定手段による判定結果を報知する報知演出を演出実行手段に実行させる報知演出制御手段と、
　遊技者により操作される操作手段と、
　前記操作手段が操作されたか否かを検出する検出手段と、
　予め定められた条件を満たす前記操作手段の操作が行われたことを前記検出手段が検出したことを契機として操作契機演出を実行する操作契機演出実行手段とを備え、
　１回の前記報知演出の実行中に、前記操作手段の操作を有効とする第１の有効期間と、前記操作手段の操作を有効としない非有効期間と、前記操作手段の操作を有効とする第２の有効期間とが順にあるとき、前記検出手段は、前記第１の有効期間及び前記第２の有効期間に、予め定められた条件を満たす前記操作手段の操作が行われたか否かを検出し、
　前記操作契機演出実行手段は、前記検出手段の検出結果に基づき、１回の前記報知演出の実行中に複数回の前記操作契機演出を実行可能である、遊技機。」 
  
 （補正後：本件補正である平成２８年９月６日付け手続補正）  
 「【請求項１】 
　所定の始動条件の成立により、遊技情報を取得する取得手段と、
　前記取得手段により取得された遊技情報に基づいて、特別遊技を行うか否かを判定する特別遊技判定手段と、
　前記特別遊技判定手段による判定結果を報知する報知演出を演出実行手段に実行させる報知演出制御手段と、
　遊技者により操作される操作手段と、
　前記操作手段が操作されたか否かを検出する検出手段と、
　予め定められた条件を満たす前記操作手段の操作が行われたことを前記検出手段が検出したことを契機として操作契機演出を実行する操作契機演出実行手段とを備え、
　１回の前記報知演出の実行中に、前記操作手段の操作を有効とする第１の有効期間と、前記操作手段の操作を有効としない非有効期間と、前記操作手段の操作を有効とする第２の有効期間とが順にあるとき、前記検出手段は、前記第１の有効期間及び前記第２の有効期間に、予め定められた条件を満たす前記操作手段の操作が行われたか否かを検出し、
前記第１の有効期間及び前記第２の有効期間のそれぞれにおいて検出対象とする前記操作手段の操作を変更可能であり、
　前記操作契機演出実行手段は、前記検出手段の検出結果に基づき、１回の前記報知演出の実行中に複数回の前記操作契機演出を実行可能である、遊技機。」 
  
２．補正の適否　　 
　審判請求時の補正によって、請求項１の記載は、上記１．の下線部が加わるように補正された。すなわち、補正後の請求項１は、補正前の請求項１に記載された発明特定事項である「検出手段」が「前記第１の有効期間及び前記第２の有効期間」において検出する「前記操作手段の操作」について、「前記第１の有効期間及び前記第２の有効期間のそれぞれにおいて検出対象とする前記操作手段の操作を変更可能であ」るという限定を付加するものである。 
　そうすると、補正後の請求項１に記載された発明は、補正前の請求項１に記載された発明と、産業上の利用分野及び解決しようとする課題が同一であるので、本件補正は、特許法第１７条の２第５項第２号に規定する「特許請求の範囲の減縮」を目的とする補正に該当する。 
　そして、本件補正は、明細書の段落【０２７０】の記載に基づいており、新規事項を追加するものではない。 
 　 
３．独立特許要件 
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下において検討する。 
  
（１）本件補正後の請求項１に係る発明 
　補正後の請求項１に係る発明（以下、「本願補正発明」という。）は、上記１．の本件補正の概要において示したとおりのものである。
（２）刊行物に記載された事項 
　原査定の拒絶の理由に引用された本願の出願前に頒布された刊行物である特開２０１２−２００４６６号公報（以下、「刊行物１」という。）には、図面と共に次の事項が記載されている（下線は当審で付した。）。 
  
ア　「【０００９】
　以下、図面を用いて、本発明の一実施形態に係る
遊技台（例えば、パチンコ機
  
イ　「【００１５】
　…球貯留皿付扉１０８は…
遊技者の操作
チャンスボタン１３６
  
ウ　「【００８６】
　＜主制御部タイマ割込処理＞
　次に、図７を用いて、
主制御部３００
　…
【００９６】
　ステップＳ２１７では、入賞受付処理を行う。この入賞受付処理では、第１特図始動口２３０、第２特図始動口２３２、普図始動口２２８および可変入賞口２３４への入賞があったか否かを判定する。ここでは、ステップＳ２０３における入賞判定パターン情報と一致するか否かの判定結果を用いて判定する。
第１特図始動口２３０へ入賞があった場合
特図１乱数値生成用の乱数カウンタから値を特図１乱数値として取得して
第２特図始動口２３２へ入賞があった場合
特図２乱数値生成用の乱数カウンタから値を特図２乱数値として取得して
　・・・
【０１１５】
　ステップＳ２２５およびステップＳ２２７における特図状態更新処理が終了すると、今度は、ステップＳ２２９およびステップＳ２３１として、特図１および特図２それぞれについての特図関連抽選処理を行う。ここでも先に、特図２についての特図関連抽選処理（特図２関連抽選処理）を行い（ステップＳ２２９）、その後で、特図１についての特図関連抽選処理（特図１関連抽選処理）を行う（ステップＳ２３１）。これらの特図関連抽選処理についても、主制御部３００が特図２関連抽選処理を特図１関連抽選処理よりも先に行うことで、特図２変動遊技の開始条件と、特図１変動遊技の開始条件が同時に成立した場合でも、特図２変動遊技が先に変動中となるため、特図１変動遊技は変動を開始しない。また、
装飾図柄表示装置２０８による、特図変動遊技の大当り判定の結果の報知は、第１副制御部４００によって行われ
  
エ　「【０１２６】
　図８を用いて、
第１副制御部４００
　…
【０１３２】
　ステップＳ３１１では、
チャンスボタン１３６の押下を検出するチャンスボタン検出センサ４２６
特図および装飾図柄の変動表示中に、チャンスボタン１３６の押下操作の受付を可能とするボタン受付期間を設けている
【０１３３】
　また、このボタン受付期間の開始時に、チャンスボタン１３６の押下操作の受付が可能であることを遊技者に報知するための演出データを準備し、後述する画像制御処理において、例えば、図１４（ｂ）に示すような報知（この例では、チャンスボタン１３６を模した画像の表示）を行う。また、
ボタン受付期間中にチャンスボタン１３６の押下を検出した場合には、予告を行うための演出データを準備し
画像制御処理において
予告
を行う
オ　「【０２５８】
　＜実施例８＞
　…
【０２７１】
　まず、装飾図柄が停止する前の
１回目のボタン受付期間
このボタン受付期間中にチャンスボタン１３６が操作されれば
予告が表示される
【０２７２】
　なお、ｔ０〜ｔ１秒の第１の報知期間中にチャンスボタン１３６が操作された場合と、ｔ１〜ｔ２秒の第２の報知期間中にチャンスボタン１３６が操作された場合とで、実施例２で説明したように予告の内容を異ならせてもよい。例えば、ｔ０〜ｔ１秒の第１の報知期間中にチャンスボタン１３６が操作された場合は「・・・。」と表示され、ｔ１〜ｔ２秒の第２の報知期間中にチャンスボタン１３６が操作された場合は「激アツ！！」と表示されるようにしてもよい。
【０２７３】
　リーチ中の
２回目のボタン受付期間
【０２７４】
　なお、
２回目のボタン受付期間中
にチャンスボタン１３６が操作された場合に行われる予告
カ　【図２８】は、ボタン受付期間およびそのボタン受付期間の残り時間の報知態様の時間変化を示すタイムチャートであり、
装飾図柄の変動時間中に１回目ボタン受付期間ｔ
０
〜ｔ
１
と、非ボタン受付期間ｔ
２
〜ｔ
４
と、２回目のボタン受付期間ｔ
４
〜ｔ
６
とが順にある
【図２８】
　上記記載事項ア〜エは各実施例に共通の技術事項を説明するものである。この中で、上記エの段落【０１３２】の「図１３（ｂ）」は実施例１の態様であり、段落【０１３３】の「図１４（ｂ）」及び「図１４（ｄ）」は実施例２の態様であるが、各実施例に共通の技術事項を説明する際に、例示的にそれらを用いたにすぎないものである。
　そして、各実施例に共通の技術事項である上記記載事項ア〜エ、並びに、実施例８に係る記載事項オ及び認定事項カを総合すれば、刊行物１には以下の発明（以下、「引用発明」という。）が記載されている。 
  
 「第１特図始動口２３０へ入賞があった場合、特図１乱数値生成用の乱数カウンタから値を特図１乱数値として取得し、第２特図始動口２３２へ入賞があった場合、特図２乱数値生成用の乱数カウンタから値を特図２乱数値として取得する（【００９６】）主制御部３００（【００８６】）と、
　装飾図柄表示装置２０８により、特図変動遊技の大当り判定の結果の報知を行う第１副制御部４００（【０１１５】）と、
　遊技者により操作されるチャンスボタン１３６（【００１５】）と、
　チャンスボタン１３６の押下を検出するチャンスボタン検出センサ４２６（【０１３２】）と、
　特図および装飾図柄の変動表示中に、チャンスボタン１３６の押下操作の受付を可能とするボタン受付期間を設け（【０１３２】）、ボタン受付期間中にチャンスボタン１３６の押下を検出した場合には、予告を行うための演出データを準備し、画像制御処理において、予告を行う（【０１３３】）第１副制御部４００（【０１２６】）とを備え、
　装飾図柄の変動時間中に１回目のボタン受付期間ｔ０〜ｔ１と、非ボタン受付期間ｔ２〜ｔ４と、２回目のボタン受付期間ｔ４〜ｔ６とが順にあり（カ）、
　１回目のボタン受付期間中にチャンスボタン１３６が操作されれば予告が表示され（【０２７１】）、
　２回目のボタン受付期間中にチャンスボタン１３６が操作された場合にも予告が行われる（【０２７３】、【０２７４】）
　遊技台（【０００９】）。」 
（３）対比 
　本願補正発明と引用発明とを対比する。 
ア　引用発明の「第１特図始動口２３０へ入賞があった場合」及び「第２特図始動口２３２へ入賞があった場合」は、本願補正発明の「所定の始動条件の成立」に相当する。
　また、引用発明の「特図１乱数値」及び「特図２乱数値」は、本願補正発明の「遊技情報」に相当する。
　したがって、引用発明の「第１特図始動口２３０へ入賞があった場合、特図１乱数値生成用の乱数カウンタから値を特図１乱数値として取得し、第２特図始動口２３２へ入賞があった場合、特図２乱数値生成用の乱数カウンタから値を特図２乱数値として取得」する「主制御部３００」は、本願補正発明の「所定の始動条件の成立により、遊技情報を取得する取得手段」に相当する。 
  
イ　引用発明の「主制御部３００」が「特図１乱数値」及び「特図２乱数値」に基づいて大当り遊技すなわち特別遊技を行うか否かを判定することは遊技台におけるパチンコ機等の遊技台における技術常識であるから、引用発明の「主制御部３００」は、本願補正発明の「前記取得手段により取得された遊技情報に基づいて、特別遊技を行うか否かを判定する特別遊技判定手段」を備えるものといえる。 
  
ウ　引用発明の「装飾図柄表示装置２０８」が装飾図柄の変動及び停止という報知演出により「特図変動遊技の大当り判定の結果の報知を行う」ことは、パチンコ機等の遊技台における技術常識から明らかである。
　したがって、引用発明の「装飾図柄表示装置２０８により、特図変動遊技の大当り判定の結果の報知を行う第１副制御部４００」は、本願補正発明の「前記特別遊技判定手段による判定結果を報知する報知演出を演出実行手段に実行させる報知演出制御手段」に相当する。 
  
エ　引用発明の「遊技者により操作されるチャンスボタン１３６」は、本願補正発明の「遊技者により操作される操作手段」に相当する。 
オ　引用発明の「チャンスボタン１３６の押下を検出するチャンスボタン検出センサ４２６」は、本願補正発明の「前記操作手段が操作されたか否かを検出する検出手段」に相当する。
カ　引用発明における「ボタン受付期間中」の「押下」は予め定められた条件を満たす操作といえるから、引用発明における「ボタン受付期間中」の「チャンスボタン１３６の押下」は、本願補正発明の「予め定められた条件を満たす前記操作手段の操作」に相当する。
　また、引用発明の「画像制御処理において」「行」われる「予告」は、チャンスボタン１３６の押下を検出した場合に行われるから、本願補正発明の「操作契機演出」に相当する。 
　したがって、引用発明の「ボタン受付期間中にチャンスボタン１３６の押下を検出した場合には、予告を行うための演出データを準備し、画像制御処理において、予告を行う第１副制御部４００」は、本願補正発明の「予め定められた条件を満たす前記操作手段の操作が行われたことを前記検出手段が検出したことを契機として操作契機演出を実行する操作契機演出実行手段」に相当する。  
キ　引用発明の「装飾図柄の変動時間中」は、１回の装飾図柄の変動という報知演出の実行中といえるから、本願補正発明の「１回の前記報知演出の実行中」に相当する。
　また、引用発明の「１回目のボタン受付期間ｔ０〜ｔ１と、非ボタン受付期間ｔ２〜ｔ４と、２回目のボタン受付期間ｔ４〜ｔ６とが順にあ」ることは、本願補正発明の「前記操作手段の操作を有効とする第１の有効期間と、前記操作手段の操作を有効としない非有効期間と、前記操作手段の操作を有効とする第２の有効期間とが順にある」ことに相当する。
　そして、引用発明の「チャンスボタン１３６の押下を検出するチャンスボタン検出センサ４２６」が、「１回目のボタン受付期間中にチャンスボタン１３６が操作され」たか否か、及び、「２回目のボタン受付期間中にチャンスボタン１３６が操作された」か否かを検出することは明らかであるから、引用発明は、本願補正発明のように「前記検出手段は、前記第１の有効期間及び前記第２の有効期間に、予め定められた条件を満たす前記操作手段の操作が行われたか否かを検出」するものといえる。
　したがって、引用発明の「装飾図柄の変動時間中に１回目のボタン受付期間ｔ０〜ｔ１と、非ボタン受付期間ｔ２〜ｔ４と、２回目のボタン受付期間ｔ４〜ｔ６とが順にあり、１回目のボタン受付期間中にチャンスボタン１３６が操作されれば予告が表示され、２回目のボタン受付期間中にチャンスボタン１３６が操作された場合にも予告が行われる」ことは、本願補正発明の「１回の前記報知演出の実行中に、前記操作手段の操作を有効とする第１の有効期間と、前記操作手段の操作を有効としない非有効期間と、前記操作手段の操作を有効とする第２の有効期間とが順にあるとき、前記検出手段は、前記第１の有効期間及び前記第２の有効期間に、予め定められた条件を満たす前記操作手段の操作が行われたか否かを検出」することに相当する。
ク　引用発明の「チャンスボタン１３６の押下を検出するチャンスボタン検出センサ４２６」が、「１回目のボタン受付期間中にチャンスボタン１３６が操作され」たか否か、及び、「２回目のボタン受け月期間中にチャンスボタン１３６が操作された」か否かを検出することは明らかであるから、引用発明の「第１副制御部４００」により「装飾図柄が停止する前の１回目のボタン受付期間中にチャンスボタン１３６が操作されれば予告が表示され、リーチ中の２回目のボタン受付期間中にチャンスボタン１３６が操作された場合にも予告が行われる」ことは、本願補正発明の「前記操作契機演出実行手段は、前記検出手段の検出結果に基づき、１回の前記報知演出の実行中に複数回の前記操作契機演出を実行可能である」ことに相当する。
ケ　引用発明の「遊技台」は、本願補正発明の「遊技機」に相当する。 
　そうすると、両者は、 
「所定の始動条件の成立により、遊技情報を取得する取得手段と、
　前記取得手段により取得された遊技情報に基づいて、特別遊技を行うか否かを判定する特別遊技判定手段と、
　前記特別遊技判定手段による判定結果を報知する報知演出を演出実行手段に実行させる報知演出制御手段と、
　遊技者により操作される操作手段と、
　前記操作手段が操作されたか否かを検出する検出手段と、
　予め定められた条件を満たす前記操作手段の操作が行われたことを前記検出手段が検出したことを契機として操作契機演出を実行する操作契機演出実行手段とを備え、
　１回の前記報知演出の実行中に、前記操作手段の操作を有効とする第１の有効期間と、前記操作手段の操作を有効としない非有効期間と、前記操作手段の操作を有効とする第２の有効期間とが順にあるとき、前記検出手段は、前記第１の有効期間及び前記第２の有効期間に、予め定められた条件を満たす前記操作手段の操作が行われたか否かを検出し、
　前記操作契機演出実行手段は、前記検出手段の検出結果に基づき、１回の前記報知演出の実行中に複数回の前記操作契機演出を実行可能である、遊技機。」 
である点で一致しており、次の点で相違する。 
  
（相違点） 
　操作手段について、本願補正発明は「前記第１の有効期間及び前記第２の有効期間のそれぞれにおいて検出対象とする」「操作を変更可能であ」るのに対し、引用発明はそのような特定がない点。 
（４）判断 
　そこで、前記相違点について検討する。
　まず、遊技機、とりわけ、パチンコ機において、演出目的としたボタン操作には、連打、長押し、一発（一撃）等の種類があることは従来から広く知られている。
　そして、装飾図柄の変動時間中に複数回のボタン受付期間がある遊技台において、１つのボタン受付期間中の検出対象とするボタンの操作を変更可能とすることは、例えば、以下の刊行物２、刊行物３に示されるように本願出願前において周知技術（下線部を参照。）である。
ア　刊行物２：パチンコ必勝ガイドＵＬＴＭＡＴＥ　ＣＲぱちんこ必殺仕事人IV　白夜ムック４５３，株式会社白夜書房，平成２４年１月９日発行，１６頁、２６〜２７頁、４０頁、５３頁
　１６頁の「予告アクションフローチャート」の欄には「デジタル回転開始」の後「充電」と「蝋燭」から「左右テンパイ」に発展することが記載されている。そして、その「充電」と「蝋燭」に関して、２６頁の「充電予告」の欄に「
ボタン長押し
サプライズボタンを押し
　また、４０頁の「リーチアクションフローチャート」の欄には「デジタル回転開始」の後「左右図柄テンパイ」から「政・竜ＳＰ」に発展することが記載されている。そして、その「政・竜ＳＰ」に関して、５３頁の「政・竜ＳＰリーチ」の欄には「政・竜それぞれのＳＰ序盤に、ボタンで縦カットインが発生すれば、政・竜ＳＰに発展。実写ムービーを中心に、２人が結託して大当りを狙う。発展した時点で信頼度は４０％と大幅に高まるが、２人を仕切るラインが太ければさらに期待大となる。」と記載されている。
　これらより、刊行物２には、装飾図柄の変動時間中たる「デジタル回転開始」の後の「予告アクション」と「リーチアクション」の２つのボタン受付期間がある遊技台において、１つのボタン受付期間中たる「予告アクション」にて検出対象とするボタンの操作を「
長押し
一発押し
イ　刊行物３：特許第５３３６６３７号公報（平成２５年１１月６日発行）
　刊行物３には以下の事項が記載されている。
（ア）　「遊技機」（【０００１】）において、「特定のリーチ演出中には、遊技者が演出ボタン２６を操作した場合にその操作が有効になる第１の有効期間が存在しており、この第１の有効期間になると、遊技者に演出ボタン２６の操作を促す第１の報知演出が行われ」（【００７９】）、「第１の報知演出が行われているときにその報知演出に従って遊技者が演出ボタン２６を連打すると、その連打操作に応じて…第１の演出変化が発生する…そして、第１の有効期間が終了すると、例えば、大当たり遊技終了後に時短遊技状態に移行する大当たりとなったことを報知する演出が行われる」（【００８０】）。
（イ）  「第１の有効期間中に遊技者に演出ボタン２６を連打させる場合について説明したが、第１の有効期間中に遊技者に演出ボタン２６を１回だけ操作させる場合…第１の報知演出として、「
連打
一撃
（ウ）　「上記実施形態では、１回の特別図柄の変動表示に伴ってボタン演出が１回だけ行われる場合について説明したが、１変動内に複数の有効期間を設けて、１回の特別図柄の変動表示に伴ってボタン演出を複数回行うようにしてもよい。すなわち、１変動内に第１の有効期間を複数設けたり…してもよい。」（【０２２８】）
　上記（ア）〜（ウ）から、刊行物３には、「１変動内に複数の有効期間を設けて、１回の特別図柄の変動表示に伴ってボタン演出を複数回行う」「すなわち、１変動内に第１の有効期間を複数設け」た「遊技機」、つまり、装飾図柄の変動時間中に複数回のボタン受付期間がある遊技台において、「第１の有効期間中に遊技者に演出ボタン２６を
連打させる
１回だけ操作させる
　そして、ボタン操作に種々の態様があることは前述のとおりであり、遊技の興趣を向上させるために、引用発明に上記周知技術を適用し、第１の有効期間及び前記第２の有効期間のいずれにおいても、検出対象とするボタンの操作を変更可能とすることは当業者の通常の創作能力の発揮であり、格別困難性なく行い得ることである。したがって、引用発明と周知技術から上記相違点に係る本願補正発明の構成に想到することは当業者が容易になし得るものである。
  
　そして、本願補正発明の効果は、引用発明及び上記周知技術からみて格別なものではない。 
  
（５）審判請求人の主張 
　審判請求人は請求書第３頁において次のような主張をしている。 
「本願発明に係る遊技機では、第１の有効期間及び第２の有効期間のそれぞれで操作手段の異なる操作を遊技者に行わせることにより、操作手段を用いた報知演出のバリエーションを豊富にすることができ、遊技者を飽きさせることなく、遊技者の興味を持続させることができる（本願明細書の段落［０２７０］）。 
　これに対して、引用文献１（特開２０１２−２００４６６号公報）には、１回の変動中に、ボタン受付期間を複数設け、各ボタン受付期間内のチャンスボタン操作に基づいて、複数回のボタン演出を実行できる遊技台が記載されている（図２８〜３１、段落［０２７１］〜［０２７４］）。 
　しかしながら、引用文献１には、複数回のボタン受付期間のそれぞれにおいて検出対象とするチャンスボタン操作を変更することについては何ら記載されていない。」 
 　 
　しかし、装飾図柄の変動時間中に複数回のボタン受付期間がある遊技台において、１つのボタン受付期間中の検出対象とするボタンの操作を変更可能とすることは、上記（４）で説示したように周知技術であって、興趣の向上のために引用発明に適用し、第１の有効期間及び前記第２の有効期間のいずれにおいても、検出対象とするボタンの操作を変更可能とすることに格別の困難性はない。また、請求人が主張する、第１の有効期間及び第２の有効期間のそれぞれで操作手段の異なる操作を遊技者に行わせることにより、操作手段を用いた報知演出のバリエーションを豊富にすることができ、遊技者を飽きさせることなく、遊技者の興味を持続させることができるという本願補正発明の効果は、引用発明及び上記周知技術から予測できる範囲のものであり格別のものではない。よって、審判請求人の主張は採用できない。 
  
（６）小括 
　したがって、本願補正発明は、引用発明及び周知技術に基づいて当業者が容易に発明できたものであり、特許法第２９条第２項の規定に基づいて特許出願の際独立して特許を受けることができない。 
  
４．むすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。 
  
第３　本願発明 
　本件補正は、上記のとおり却下されたので、本願の請求項１に係る発明（以下、「本願発明」という。）は、平成２７年５月２１日付けの手続補正書により補正された、上記第２の１．で示した特許請求の範囲の請求項１に記載されたとおりのものである。 
  
１．刊行物 
　原査定の拒絶の理由に引用された刊行物１の記載事項は、上記第２の３．（２）に記載したとおりである。
２．対比・判断 
　本願発明は、本願補正発明の発明特定事項から、上記第２の１．の下線部の構成を省いたものである。 
　上記第２の３．（３）で検討したとおり、本願補正発明と引用発明の相違点は上記第２の１．の下線部の構成のみであるから、そうすると、この構成を省いた本願発明と引用発明に相違点は存在しない。
　したがって、本願発明は、引用発明と同一であり、刊行物１に記載された発明であるといえる。
３．むすび 
　以上のとおり、本願発明は、刊行物１に記載された発明であり、特許法第２９条第１項第３号の規定により特許を受けることができないものである。 
　したがって、本願は拒絶すべきものである。 
　よって、結論のとおり審決する。